(57)【要約】【課題】放送番組データのコマーシャルに対応する部分を利用者が視聴可能でありつつ、記憶装置の記憶領域を効果的に使用することができる録画装置を提供すること。【解決手段】本発明の録画装置（１）は、受信部（１３、１８）と、記憶装置（１７）と、制御装置（１０）とを具備している。前記受信部（１３、１８）は、動画像データである放送番組データ（６）と、前記放送番組データ（６）のコマーシャルに対応する部分を識別する付加情報（７）とを受信する。前記放送番組データ（６）と前記付加情報（７）とが前記記憶装置（１７）に格納される。前記制御装置（１０）は、前記付加情報（７）に従って、前記コマーシャルに対応する部分を表すテキストデータとして静止画像データを生成し、前記放送番組データ（６）の前記コマーシャルに対応する部分を前記静止画像データに変更する。【選択図】図１
2008085888.tif 000002
【特許請求の範囲】
【請求項１】
動画像データである放送番組データと、前記放送番組データのコマーシャルに対応する部分を識別する付加情報とを受信する受信部と、
前記放送番組データと前記付加情報とを格納する記憶装置と、
前記付加情報に従って、前記コマーシャルに対応する部分を表すテキストデータを生成し、更に該テキストデータを含む静止画像データを生成し、前記放送番組データの前記コマーシャルに対応する部分を前記静止画像データに変更する制御装置と
を具備する録画装置。
【請求項２】
請求項１に記載の録画装置において、
前記放送番組データは、前記動画像データとして動画像データ群を含み、
前記動画像データ群は、前記放送番組データの本編に対応する部分を表す本編動画像データ群と、前記コマーシャルに対応する部分を表すＣＭ動画像データ群からなり、
前記ＣＭ動画像データ群は、それぞれユニークな識別子群を含み、
前記付加情報は、前記識別子群と、文字情報群とを含み、
前記制御装置は、
前記受信部に受信された前記放送番組データを前記記憶装置に格納する放送番組制御部と、
前記受信部に受信された前記付加情報を前記放送番組データに対応付けて前記記憶装置に格納し、前記付加情報の前記文字情報群と前記識別子群とをそれぞれ含む前記テキストデータとして前記付加情報テキストデータ群を生成する付加情報制御部と、
前記放送番組データの前記ＣＭ動画像データ群を削除して、それぞれ前記付加情報テキストデータ群を前記放送番組データに対応付けて前記記憶装置に格納する放送番組編集部と、
再生指示に応じて、前記放送番組データを表す画面を表示装置に表示し、前記放送番組データの前記付加情報テキストデータ群としてＣＭ静止画像データ群を生成し、前記放送番組データの前記本編動画像データ群の間にそれぞれ挿入する表示制御部と
を具備する録画装置。
【請求項３】
請求項２に記載の録画装置において、
前記付加情報は、前記ＣＭ動画像データ群が放送されるときの時間をそれぞれ表す設定時間群を含み、
前記表示制御部は、前記放送番組データの前記ＣＭ静止画像データ群を表す画面を、それぞれ、設定時間群が表す時間だけ前記表示装置に表示する
録画装置。
【請求項４】
請求項２に記載の録画装置において、
前記表示制御部は、前記放送番組データの前記ＣＭ静止画像データ群を表す画面を、それぞれ、ユーザにより設定された設定時間群が表す時間だけ前記表示装置に表示する
録画装置。
【請求項５】
請求項２〜４のいずれかに記載の録画装置において、
前記記憶装置には、過去に受信された前記放送番組データが既存放送番組データとして格納され、過去に受信された前記付加情報が既存付加情報として、前記既存放送番組データに対応付けて前記記憶装置に格納され、
前記放送番組制御部は、今回受信された前記放送番組データである新規放送番組データの前記ＣＭ動画像データ群のうちの、前記既存放送番組データに重複しないＣＭ動画像データを前記記憶装置に格納し、
前記付加情報制御部は、今回受信された前記付加情報を新規付加情報として、前記新規放送番組データに対応付けて前記記憶装置に格納し、前記新規付加情報の前記文字情報群と前記識別子群とをそれぞれ含む前記テキストデータとして前記付加情報テキストデータ群を生成し、
前記放送番組編集部は、前記新規放送番組データの前記ＣＭ動画像データ群に代えて、それぞれ前記付加情報テキストデータ群を前記放送番組データに対応付けて前記記憶装置に格納し、
前記表示制御部は、前記放送番組データを表す画面を前記表示装置に表示するときに、前記放送番組データの前記付加情報テキストデータ群としてＣＭ静止画像データ群を生成し、前記放送番組データの前記本編動画像データ群の間にそれぞれ挿入する
録画装置。
【請求項６】
請求項５に記載の録画装置において、
前記表示制御部は、前記再生指示に応じて、前記新規放送番組データを表す画面を前記表示装置に表示し、
前記新規放送番組データの前記ＣＭ静止画像データ群を表す画面は、それぞれ、前記新規付加情報の前記識別子群に対応するＣＭ再生スイッチ群を含み、
前記表示制御部が前記ＣＭ静止画像データ群を表す画面を前記表示装置に表示しているときに、それぞれ、前記ＣＭ静止画像データ群に対応する設定時間が経過する前に利用者が前記入力装置により前記ＣＭ再生スイッチ群を操作した場合、
前記表示制御部は、前記ＣＭ静止画像データ群を表す画面に代えて、それぞれ、前記ＣＭ動画像データ群を表す画面を前記表示装置に表示する
録画装置。
【請求項７】
請求項１〜６のいずれかに記載の録画装置と、
ネットワークを介して前記録画装置に接続され、前記付加情報を配信する付加情報配信装置と
を具備する放送番組録画システム。
【請求項８】
受信部と記憶装置とを具備するコンピュータを用いた録画方法であって、
前記受信部を制御して、動画像データである放送番組データと、前記放送番組データのコマーシャルに対応する部分を識別する付加情報とを受信する受信ステップと、
前記放送番組データと前記付加情報とを前記記憶装置に格納し、前記付加情報に従って、前記コマーシャルに対応する部分を表すテキストデータを生成し、更に該テキストデータを含む静止画像データを生成し、前記放送番組データの前記コマーシャルに対応する部分を前記静止画像データに変更する制御ステップと
を具備する録画方法。
【請求項９】
請求項８に記載の録画方法の各ステップを前記コンピュータに実行させるコンピュータプログラム。
【請求項１０】
番組データを含む放送データを受信する受信部と、
前記放送データを格納する記憶装置と、
前記放送データに含まれる前記番組データ以外のデータから静止画像データを生成し、前記放送データに含まれる前記番組データ以外のデータに対応する部分を前記静止画像データに変更する制御装置と
を具備する情報処理装置。
【請求項１１】
番組データを含む放送データを受信する受信部と、
前記放送データを格納する記憶装置と、
前記放送データに含まれる前記番組データ以外のデータからテキストデータを生成し、前記放送データに含まれる前記番組データ以外のデータに対応する部分を前記テキストデータに変更する制御装置と
を具備する情報処理装置。
【発明の詳細な説明】
【技術分野】
【０００１】
本発明は、放送番組を表す放送番組データを録画する録画装置に関する。
【背景技術】
【０００２】
テレビ放送された放送番組を表す動画像データである放送番組データを記憶装置（例示；ハードディスクドライブ）に録画する録画装置が知られている。利用者は、録画装置に録画された放送番組データを表示装置に表示させることにより、その放送番組データが表す放送番組を楽しむことができる。ところが、記憶装置の記憶領域には限界があり、その記憶領域を超える場合、新規の放送番組データは録画できない。
【０００３】
そこで、特開平５−２８２７３６号公報（特許文献１）に記載された技術として、放送番組データのコマーシャルに対応する部分を消去するコマーシャルオートカット録画装置が開発されている。これにより、放送番組データの本編に対応する部分だけを録画装置に録画（格納）することができ、録画可能な放送番組データの数を増やすことができる。
また、特開２００４−７１５５号公報（特許文献２）に記載された技術として、録画装置に録画された放送番組データを利用者が視聴するときに、その放送番組データが表示装置に再生表示された部分とスキップされた部分とを判断し、スキップされた部分を消去する番組録画再生装置が開発されている。これにより、放送番組データの再生表示された部分だけを録画装置に録画（更新）することができ、録画可能な放送番組データの数を増やすことができる。
また、特開２００３−３０９８０９号公報（特許文献３）に記載された技術として、録画装置に録画された放送番組データのコマーシャルに対応する部分（ＣＭデータ）に有効期限や視聴回数などの条件が設定され、その条件を満たした場合、ＣＭデータを消去するデジタルテレビ受像機が開発されている。これにより、放送番組データの本編に対応する部分だけを録画装置に録画（更新）することができ、録画可能な放送番組データの数を増やすことができる。
【０００４】
しかし、コマーシャルは、メーカが商品を宣伝するために行われる場合もある。利用者がリアルタイムで放送番組データを視聴できないとき、録画装置に録画された放送番組データを視聴することになるが、そのときに放送番組データのコマーシャルに対応する部分が消去されている場合、利用者には上記メーカによる商品の宣伝が伝わらない。そのため、上記メーカによる商品の売り上げに影響を与える可能性がある。この場合、上記メーカに関わらず、国内の全てのメーカにおいても商品の売り上げに影響を与える可能性があり、経済効果にも影響を与えてしまう。
【０００５】
【特許文献１】特開平５−２８２７３６号公報
【特許文献２】特開２００４−７１５５号公報
【特許文献３】特開２００３−３０９８０９号公報
【発明の開示】
【発明が解決しようとする課題】
【０００６】
本発明の課題は、放送番組データのコマーシャルに対応する部分を利用者が視聴可能でありつつ、記憶装置の記憶領域を効果的に使用することができる録画装置を提供することにある。
【課題を解決するための手段】
【０００７】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００８】
本発明の録画装置（１）は、受信部（１３、１８）と、記憶装置（１７）と、制御装置（１０）とを具備している。
前記受信部（１３、１８）は、動画像データである放送番組データ（６）と、前記放送番組データ（６）のコマーシャルに対応する部分を識別する付加情報（７）とを受信する。
前記放送番組データ（６）と前記付加情報（７）とが前記記憶装置（１７）に格納される。
前記制御装置（１０）は、前記付加情報（７）に従って、前記コマーシャルに対応する部分を表すテキストデータを生成し、更に該テキストデータを含む静止画像データを生成し、前記放送番組データ（６）の前記コマーシャルに対応する部分を前記静止画像データに変更する。
【０００９】
本発明の録画装置（１）において、前記放送番組データ（６）は、前記動画像データとして動画像データ群（６−１、６−２、６−３、６−４、…）を含んでいる。
前記動画像データ群（６−１、６−２、６−３、６−４、…）のうちの、奇数番目及び偶数番目の一方の動画像データは、前記放送番組データ（６）の本編に対応する部分を表す本編動画像データ群（６−１、６−３、…）であり、他方の動画像データは、前記コマーシャルに対応する部分を表すＣＭ動画像データ群（６−２、６−４、…）である。
前記ＣＭ動画像データ群（６−２、６−４、…）は、それぞれユニークな識別子群（７−２、７−４、…）を含んでいる。
前記付加情報（７）は、前記識別子群（７−２、７−４、…）と、前記ＣＭ動画像データ群（６−２、６−４、…）により宣伝するための文字をそれぞれ表す文字情報群（７−２’、７−４’、…）とを含んでいる。
前記制御装置（１０）は、放送番組制御部（２１）と、付加情報制御部（２２）と、放送番組編集部（２３）と、表示制御部（２４）とを更に具備している。
前記放送番組制御部（２１）は、前記受信部（１３、１８）に受信された前記放送番組データ（６）を前記記憶装置（１７）に格納する。
前記付加情報制御部（２２）は、前記受信部（１３、１８）に受信された前記付加情報（７）を前記放送番組データ（６）に対応付けて前記記憶装置（１７）に格納する。前記付加情報制御部（２２）は、前記付加情報（７）の前記文字情報群（７−２’、７−４’、…）と前記識別子群（７−２、７−４、…）とをそれぞれ含む前記テキストデータとして前記付加情報テキストデータ群を生成する。
前記放送番組編集部（２３）は、前記放送番組データ（６）の前記ＣＭ動画像データ群（６−２、６−４、…）を削除して、それぞれ前記付加情報テキストデータ群｛識別子群（７−２、７−４、…）、文字情報群（７−２’、７−４’、…）｝を前記放送番組データ（６）に対応付けて前記記憶装置（１７）に格納する。
前記表示制御部（２４）は、再生指示に応じて、前記放送番組データ（６）を表す画面を表示装置（２０）に表示し、前記放送番組データ（６）の前記付加情報テキストデータ群｛識別子群（７−２、７−４、…）、文字情報群（７−２’、７−４’、…）｝としてＣＭ静止画像データ群（６−２’、６−４’、…）を生成し、前記放送番組データ（６）の前記本編動画像データ群（６−１、６−３、…）の間にそれぞれ挿入する。
【００１０】
本発明の録画装置（１）において、前記付加情報（７）は、前記ＣＭ動画像データ群（６−２、６−４、…）が放送されるときの時間をそれぞれ表す設定時間群（７−２”、７−４”、…）を更に含んでいる。前記表示制御部（２４）は、前記放送番組データ（６）の前記ＣＭ静止画像データ群（６−２’、６−４’、…）を表す画面を、それぞれ、前記設定時間群（７−２”、７−４”、…）が表す時間だけ前記表示装置（２０）に表示する。
【００１１】
本発明の録画装置（１）において、前記表示制御部（２４）は、前記放送番組データ（６）の前記ＣＭ静止画像データ群（６−２’、６−４’、…）を表す画面を、それぞれ、ユーザにより設定された設定時間群（７−２”、７−４”、…）が表す時間だけ前記表示装置（２０）に表示する。
【００１２】
本発明の録画装置（１）において、前記ＣＭ動画像データ群（６−ｉ）（ｉ＝２、４、…）の各々は、１番目からｎ個（ｎは１以上の整数）までのｎ個の分割ＣＭ動画像データ（６−ｉ−１〜６−ｉ−ｎ）を含んでいる。
前記ＣＭ静止画像データ群（６−ｉ’）（ｉ＝２、４、…）の各々は、前記ｎ個の分割ＣＭ動画像データ（６−ｉ−１〜６−ｉ−ｎ）に対応するｎ個の分割ＣＭ静止画像データ（６−ｉ−１’〜６−ｉ−ｎ’）を含んでいる。
前記表示制御部（２４）が第ｊ分割ＣＭ静止画像データ（６−ｉ’−ｊ）（ｊは、１≦ｊ≦（ｎ−１）を満たす整数）を表す画面を前記表示装置（２０）に表示している。このときに、前記設定時間群（７−２”、７−４”、…）のうちの、前記第ｊ分割ＣＭ静止画像データ（６−ｉ’−ｊ）に対応する設定時間（７−ｉ”−ｊ）が経過する前に利用者が前記入力装置（３０）によりスキップ指示を行なう。この場合、前記表示制御部（２４）は、前記第ｊ分割ＣＭ静止画像データ（６−ｉ’−ｊ）の次の第（ｊ＋１）分割ＣＭ静止画像データ（６−ｉ’−（ｊ＋１））を表す画面を前記表示装置（２０）に表示する。
【００１３】
本発明の録画装置（１）において、前記文字情報群（７−２’、７−４’、…）の各々は、メーカが宣伝するための商品を表す商品情報と、前記メーカのサイト（８）を表すＵＲＬとを含んでいる。
前記表示制御部（２４）が第ｋ分割ＣＭ静止画像データ（６−ｉ’−ｋ）（ｋは、１≦ｋ≦ｎを満たす整数）を表す画面を前記表示装置（２０）に表示している。このときに、前記第ｋ分割ＣＭ静止画像データ（６−ｉ’−ｋ）に対応する設定時間（７−ｉ”−ｋ）が経過する前に、前記第ｋ分割ＣＭ静止画像データ（６−ｉ’−ｋ）に含まれる文字情報（７−ｉ’−ｋ）の前記ＵＲＬを選択ＵＲＬとして利用者が前記入力装置（３０）により選択する。この場合、前記表示制御部（２４）は、前記第ｋ分割ＣＭ静止画像データ（６−ｉ’−ｋ）を表す画面の表示を中断又は停止して、前記選択ＵＲＬに対応する前記サイト（８）のホームページを前記表示装置（２０）に表示する。
【００１４】
本発明の録画装置（１）において、前記記憶装置（１７）には、過去に受信された前記放送番組データ（６）が既存放送番組データ（６０）として格納され、過去に受信された前記付加情報（７）が既存付加情報（７）として、前記既存放送番組データ（６０）に対応付けて前記記憶装置（１７）に格納されているものとする。
この場合、前記放送番組制御部（２１）は、今回受信された前記放送番組データ（６）である新規放送番組データ（６）の前記ＣＭ動画像データ群（６−２、６−４、…）のうちの、前記既存放送番組データ（６０）に重複しないＣＭ動画像データ（６−６、６−８、…）を前記記憶装置（１７）に格納する。
前記付加情報制御部（２２）は、今回受信された前記付加情報（７）を新規付加情報（７）として、前記新規放送番組データ（６）に対応付けて前記記憶装置（１７）に格納し、前記新規付加情報（７）の前記文字情報群（７−２’、７−４’、…）と前記識別子群（７−２、７−４、…）とをそれぞれ含む前記テキストデータとして前記付加情報テキストデータ群を生成する。
前記放送番組編集部（２３）は、前記新規放送番組データ（６）の前記ＣＭ動画像データ群（６−２、６−４、…）に代えて、それぞれ前記付加情報テキストデータ群｛識別子群（７−２、７−４、…）、文字情報群（７−２’、７−４’、…）｝を前記放送番組データ（６）に対応付けて前記記憶装置（１７）に格納する。
前記表示制御部（２４）は、前記放送番組データ（６）を表す画面を前記表示装置（２０）に表示するときに、前記放送番組データ（６）の前記付加情報テキストデータ群｛識別子群（７−２、７−４、…）、文字情報群（７−２’、７−４’、…）｝としてＣＭ静止画像データ群（６−２’、６−４’、…）を生成し、前記放送番組データ（６）の前記本編動画像データ群（６−１、６−３、…）の間にそれぞれ挿入する。
【００１５】
本発明の録画装置（１）において、前記表示制御部（２４）は、前記再生指示に応じて、前記新規放送番組データ（６）を表す画面を前記表示装置（２０）に表示する。
前記新規放送番組データ（６）の前記ＣＭ静止画像データ群（６−ｉ’）（ｉ＝２、４、…）を表す画面は、それぞれ、前記新規付加情報（７）の前記識別子群（７−ｉ）に対応するＣＭ再生スイッチ群（ＳＷ−ｉ）を含んでいる。
前記表示制御部（２４）が前記ＣＭ静止画像データ群（６−ｉ’）を表す画面を前記表示装置（２０）に表示している。このときに、それぞれ、前記ＣＭ静止画像データ群（６−ｉ’）に対応する設定時間が経過する前に利用者が前記入力装置（３０）により前記ＣＭ再生スイッチ群（ＳＷ−ｉ）を操作する。この場合、前記表示制御部（２４）は、前記ＣＭ静止画像データ群（６−ｉ’）を表す画面に代えて、それぞれ、前記ＣＭ動画像データ群（６−ｉ）を表す画面を前記表示装置（２０）に表示する。
【００１６】
本発明の放送番組録画システムは、上述の録画装置（１）と、配信装置（２、３）とを具備している。
前記配信装置（２、３）は、ネットワーク（４、５）を介して前記録画装置（１）に接続され、前記放送番組データ（６）と前記付加情報（７）とを配信する。
【００１７】
本発明の放送番組録画システムにおいて、前記ネットワーク（４、５）は、第１ネットワーク（４）と、第２ネットワーク（５）とを含んでいる。
前記配信装置（２、３）は、放送番組配信装置（２）と、付加情報配信装置（３）とを含んでいる。
前記放送番組配信装置（２）は、前記第１ネットワーク（４）を介して前記録画装置（１）に接続され、前記放送番組データ（６）を配信する。
前記付加情報配信装置（３）は、前記第２ネットワーク（５）を介して前記録画装置（１）に接続され、前記付加情報（７）を配信する。
その場合、前記録画装置（１）の前記受信部（１３、１８）は、前記放送番組データ（６）を受信する放送番組受信部（１３）と、前記付加情報（７）を受信する付加情報受信部（１８）とを含んでいる。
【００１８】
本発明の録画方法は、上記の録画装置（１）として、受信部（１３、１８）と記憶装置（１７）とを具備するコンピュータ（１）を用いる。そのコンピュータには、上記の制御装置（１０）であるコンピュータプログラムが備えられている。この場合、本発明の録画方法は、上記のコンピュータプログラムにより実現される。
【００１９】
本発明の情報処理装置（１）は、受信部（１３、１８）と、記憶装置（１７）と、制御装置（１０）とを具備している。
前記受信部（１３、１８）は、番組データ（６−１、６−３、…）を含む放送データ（６）を受信する。
前記記憶装置（１７）には、前記放送データ（６）が格納される。
前記制御装置（１０）は、前記放送データ（６）に含まれる前記番組データ（６−１、６−３、…）以外のデータ（６−２、６−４、…）から静止画像データ（６−２’、６−４’、…）を生成し、前記放送データ（６）に含まれる前記番組データ（６−１、６−３、…）以外のデータ（６−２、６−４、…）に対応する部分を前記静止画像データ（６−２’、６−４’、…）に変更する。
【００２０】
本発明の情報処理装置（１）は、受信部（１３、１８）と、記憶装置（１７）と、制御装置（１０）とを具備している。
前記受信部（１３、１８）は、番組データ（６−１、６−３、…）を含む放送データ（６）を受信する。
前記記憶装置（１７）には、前記放送データ（６）が格納される。
前記制御装置（１０）は、前記放送データ（６）に含まれる前記番組データ（６−１、６−３、…）以外のデータ（６−２、６−４、…）からテキストデータ｛（７−２、７−４、…）、（７−２’、７−４’、…）｝を生成し、前記放送データ（６）に含まれる前記番組データ（６−１、６−３、…）以外のデータ（６−２、６−４、…）に対応する部分を前記テキストデータ｛（７−２、７−４、…）、（７−２’、７−４’、…）｝に変更する。
【発明の効果】
【００２１】
以上により、本発明の録画装置（１）では、放送番組データ（６）のコマーシャルに対応する部分を静止画像データ（テキストデータ）に変更している。そのため、放送番組データ６のコマーシャルに対応する部分を利用者が視聴可能でありつつ、記憶装置（１７）の記憶領域を効果的に使用することができる。
【発明を実施するための最良の形態】
【００２２】
以下に添付図面を参照して、本発明の録画装置について詳細に説明する。
【００２３】
（第１実施形態）
図１は、本発明の第１実施形態による録画装置が適用される放送番組録画システムの構成を示している。その放送番組録画システムは、録画装置１と、放送番組配信装置２と、付加情報配信装置３とを具備している。放送番組配信装置２は、放送網であるネットワーク４を介して録画装置１に接続されている。付加情報配信装置３は、インターネットであるネットワーク５を介して録画装置１に接続されている。録画装置１は、コマーシャルにより商品を宣伝するメーカのコンピュータ（ブラウザ）８に、ネットワーク５を介して接続することができる（後述）。
【００２４】
録画装置１は、放送番組を録画する情報処理装置（コンピュータ）である。この録画装置１は、ＴＶチューナである放送番組受信部１３と、ＬＡＮ（Ｌｏｃａｌ  Ａｒｅａ  Ｎｅｔｗｏｒｋ）部である付加情報受信部１８と、記憶装置（例示；ハードディスクドライブ）１７と、制御装置１０とを具備している。ＴＶチューナ１３とＬＡＮ部１８と記憶装置１７（以下、ＨＤＤと称する）は、制御装置１０に備えられていてもよい。
【００２５】
ネットワーク４、５が同一構成であり、放送番組配信装置２と付加情報配信装置３が同一構成である。この場合、放送番組配信装置２と付加情報配信装置３とを含む配信装置（２、３）は、放送番組を表す動画像データである放送番組データ６と、放送番組データ６のコマーシャルに対応する部分を識別する付加情報７とを配信する。ＴＶチューナ１３とＬＡＮ部１８とを含む受信部（１３、１８）は、放送番組データ６と付加情報７とを受信する。その放送番組データ６はＨＤＤ１７に録画（格納）される。制御装置１０は、付加情報７に従って、コマーシャルに対応する部分を表すテキストデータとして静止画像データを生成し、放送番組データ６のコマーシャルに対応する部分を静止画像データに変更する。
【００２６】
ネットワーク４、５が同一構成ではなく、放送番組配信装置２と付加情報配信装置３が同一構成ではない。この場合、放送番組配信装置２は、放送番組データ６を配信し、付加情報配信装置３は、付加情報７を配信する。例えば、付加情報配信装置３は、放送番組データ６が配信された後に、付加情報７を配信する。ＴＶチューナ１３、ＬＡＮ部１８は、それぞれ、放送番組データ６、付加情報７を受信する。その放送番組データ６はＨＤＤ１７に録画（格納）される。制御装置１０は、付加情報７に従って、コマーシャルに対応する部分を表すテキストデータとして静止画像データを生成し、放送番組データ６のコマーシャルに対応する部分を静止画像データに変更する。
【００２７】
録画装置１は、更に、表示装置２０と、入力装置３０とを具備している。入力装置３０は、リモートコントロール端末（リモコン）、キーボード（Ｋ／Ｂ）、ポインティングデバイス（マウス）を含んでいる。
【００２８】
制御装置１０は、ＣＰＵ（Ｃｅｎｔｒａｌ  Ｐｒｏｃｅｓｓｉｎｇ  Ｕｎｉｔ）１１と、メモリ１２と、エンコーダ１４と、デコーダ１５と、ＨＤＤコントローラ１６と、入力インターフェース（入力Ｉ／Ｆ）１９とを備えている。ＣＰＵ１１は、メモリ１２、エンコーダ１４、デコーダ１５、ＨＤＤコントローラ１６、ＬＡＮ部１８、入力Ｉ／Ｆ１９に接続されている。ＨＤＤコントローラ１６は、ＨＤＤ１７に接続されている。エンコーダ１４は、ＴＶチューナ１３に接続されている。デコーダ１５は、表示装置２０に接続されている。入力Ｉ／Ｆ１９は、入力装置３０に接続されている。
【００２９】
メモリ１２には、ＣＰＵ１１が実行するためのコンピュータプログラムである放送番組制御部２１、付加情報制御部２２、放送番組編集部２３、表示制御部２４が格納されている。
【００３０】
本発明の第１実施形態による録画装置１の動作について説明する。
【００３１】
図２は、本発明の第１実施形態による録画装置１の動作として、登録処理を示すフローチャートである。
【００３２】
ここで、録画装置１の放送番組制御部２１は、利用者の入力装置３０の操作により、録画予約をメモリ１２に格納する。録画予約は、例えば、予約対象の放送番組が放送される放送日時、放送局とを含んでいる。放送日時は、放送日、放送時間帯を含み、放送時間帯は、放送番組の放送が開始する放送開始時刻から、その放送が終了する放送終了時刻までの時間帯である。放送番組制御部２１は、タイマー機能を有し、現在の時刻が予約対象の放送番組の放送開始時刻に近づいたとき、予約対象の放送番組を放送番組データ６として受信するようにＴＶチューナ１３を制御する。または、放送番組制御部２１は、利用者の入力装置３０の操作により、放送番組を録画する録画指示が行われたとき、その放送番組を放送番組データ６として受信するようにＴＶチューナ１３を制御する。同時に、付加情報制御部２２は、放送番組データ６に関連する付加情報７を受信するように、ＬＡＮ部１８を制御する。
【００３３】
まず、録画装置１のＴＶチューナ１３は、放送番組データ６を受信し、エンコーダ１４を介して放送番組制御部２１に出力する（ステップＳ１）。エンコーダ１４は、放送番組データ６をエンコードする。
【００３４】
図４に示されるように、放送番組データ６は、上記の動画像データとして１番目から最終番目までの動画像データ群６−１、６−２、６−３、６−４、…を含んでいる。この動画像データ群６−１、６−２、６−３、６−４、…のうちの、奇数番目及び偶数番目の一方の動画像データは、放送番組データ６の本編に対応する部分を表す本編動画像データ群であり、他方の動画像データは、上記のコマーシャルに対応する部分を表すＣＭ動画像データ群である。ここで、奇数番目の動画像データを本編動画像データ群６−１、６−３、…とし、偶数番目の動画像データをＣＭ動画像データ群６−２、６−４、…とする。
ＣＭ動画像データ群６−ｉ（ｉ＝２、４、…）の各々は、１番目からｎ個（ｎは１以上の整数）までのｎ個の分割ＣＭ動画像データ６−ｉ−１〜６−ｉ−ｎを含んでいる。ｉ（ｉ＝２、４、…）のそれぞれに対して、ｎの数値は同じでもよいし（例えば、ｉが２、４、…のそれぞれに対して、ｎが３）、異なっていてもよい（例えば、ｉが２、４、…のそれぞれに対して、ｎが３、４、…、３）。
【００３５】
放送番組配信装置２と付加情報配信装置３が同一構成である場合、配信装置（２、３）は、放送番組データ６に付加情報７を付加して配信している。この場合、録画装置１のＴＶチューナ１３が放送番組データ６を受信すると共に、ＬＡＮ部１８は、付加情報７を受信（抽出）し、付加情報制御部２２に出力する（ステップＳ２、Ｓ３−ＹＥＳ）。このとき、放送番組制御部２１は、放送番組データ６をＨＤＤ１７に格納し（ステップＳ５）、付加情報制御部２２は、付加情報７を放送番組データ６に対応付けてＨＤＤ１７に格納する（ステップＳ６）。
【００３６】
放送番組配信装置２と付加情報配信装置３が同一構成ではない場合、付加情報配信装置３は、放送番組データ６が配信された後に、付加情報配信装置３はインターネットにより付加情報７を配信している。録画装置１のＴＶチューナ１３が放送番組データ６を受信した後に、ＬＡＮ部１８は、インターネットにより付加情報７を受信（抽出）し、付加情報制御部２２に出力する（ステップＳ２、Ｓ３−ＮＯ、Ｓ４）。このとき、放送番組制御部２１は、放送番組データ６をＨＤＤ１７に格納し（ステップＳ５）、付加情報制御部２２は、付加情報７を放送番組データ６に対応付けてＨＤＤ１７に格納する（ステップＳ６）。
【００３７】
図５に示されるように、付加情報７は、ＣＭ動画像データ群６−ｉ（ｉ＝２、４、…）を識別するためのユニークな識別子群７−ｉと、ＣＭ動画像データ群６−ｉにより宣伝するための文字をそれぞれ表す文字情報群７−ｉ’と、ＣＭ動画像データ群６−ｉにそれぞれ設定された設定情報群７−ｉ”とを含んでいる。
ここで、識別子群７−ｉは、分割ＣＭ動画像データ６−ｉ−ｋ（ｋは、１≦ｋ≦ｎを満たす整数）を識別するためのユニークな分割識別子７−ｉ−ｋを含んでいる。分割ＣＭ動画像データ６−ｉ−ｋは、その分割識別子７−ｉ−ｋを含んでいる。
文字情報群７−ｉ’は、分割ＣＭ動画像データ６−ｉ−ｋにより宣伝するための文字をそれぞれ表す分割文字情報７−ｉ’−ｋを含んでいる。分割文字情報７−ｉ’−ｋが表す文字は、例えば、メーカが宣伝するための商品を表す商品情報（商品の名称を表す商品名、メーカの名称を表す社名、ジャンル、出演者、ＢＧＭアーティスト、キーワード（キャッチコピー））と、メーカのブラウザ８を表すＵＲＬとを含んでいる。
設定情報群７−ｉ”は、分割ＣＭ動画像データ６−ｉ−ｋにそれぞれ設定された分割設定情報７−ｉ”−ｋを含んでいる。分割設定情報７−ｉ”−ｋは、コマーシャル（ＣＭ）のバージョン、ＣＭの長さを表す設定時間（例示；３０秒、１５秒など）、タイムスタンプ（放送開始日時）、再生回数（ＣＭを正常に再生した回数）、広告主の再生要求数（ＣＭを削除するための必要な再生回数）を含んでいる。再生回数、広告主の再生要求数に関しては、特許文献３に記載された技術を用いることで実現できる。
【００３８】
ここで、ＬＡＮ部１８が所定時間内に付加情報７を抽出できない場合を考える（ステップＳ２、Ｓ３−ＮＯ、Ｓ４）。この場合、付加情報制御部２２は、放送番組データ６に対して音声（モノラルとステレオの切り換え部分）、テロップ、画像などの認識を行なうことにより、放送番組データ６のコマーシャルに対応する部分を認識し、ユニークな識別子と文字情報と設定情報とを含む付加情報７を生成する。文字情報は、テロップを含み、設定情報は、設定時間を含んでいる。
【００３９】
録画装置１の付加情報制御部２２は、付加情報７に含まれる識別子群７−２、７−４、…により、本編動画像データ群６−１、６−３、…と、ＣＭ動画像データ群６−２、６−４、…とを分離することができる（ステップＳ７）。
【００４０】
まず、ｉが２である場合について説明する。付加情報制御部２２は、分割識別子７−２−１〜７−２−ｎにより、本編動画像データ６−１と本編動画像データ６−３との間の分割ＣＭ動画像データ群６−２−１〜６−２−ｎを認識する。付加情報制御部２２は、分割ＣＭ動画像データ群６−２−１〜６−２−ｎに対して、それぞれ、ＨＤＤ１７を参照して、付加情報７に含まれる文字情報７−２’−１〜７−２’−ｎを認識する。付加情報制御部２２は、この文字情報７−２’−１〜７−２’−ｎ（商品情報、ＵＲＬ）と分割識別子７−２−１〜７−２−ｎとをそれぞれ含むテキストデータとして分割付加情報テキストデータ群を生成する。そこで、放送番組編集部２３は、放送番組データ６の分割ＣＭ動画像データ群６−２−１〜６−２−ｎを削除して、分割付加情報テキストデータ群｛（分割識別子７−２−１〜７−２−ｎ）、（文字情報７−２’−１〜７−２’−ｎ）｝を放送番組データ６に対応付けてＨＤＤ１７に格納する（ステップＳ１０）。
【００４１】
ｉが４、６、…である場合についても、上述と同様にステップＳ１０が実行される。ｉが偶数の最終番目である場合についてステップＳ１０が実行された場合、次の分割ＣＭ動画像データがないため（ステップＳ１１−ＮＯ）、上記のステップＳ１が実行される。
【００４２】
このように、本発明の第１実施形態による録画装置１では、放送番組データ６のＣＭ動画像データ群６−２、６−４、…を削除して、それぞれ付加情報テキストデータ群｛識別子群（７−２、７−４、…）、文字情報群（７−２’、７−４’、…）｝を放送番組データ６に対応付けてＨＤＤ１７に格納している。そのため、放送番組データ６のコマーシャルに対応する部分を利用者が視聴可能でありつつ、ＨＤＤ１７の記憶領域を効果的に使用することができる。
【００４３】
図３は、本発明の第１実施形態による録画装置１の動作として、再生処理を示すフローチャートである。
【００４４】
利用者は、入力装置３０を操作してコンテンツリスト表示指示を行なう。録画装置１の表示制御部２４は、そのコンテンツリスト表示指示に応じて、ＨＤＤ１７に格納された全ての放送番組データのリストを表す画面を表示装置２０に表示する（ステップＳ２１）。利用者は、入力装置３０を操作して、ＨＤＤ１７に格納された全ての放送番組データの中から、上記の放送番組データ６を再生するための再生指示を行なう（ステップＳ２２）。表示制御部２４は、再生指示に応じて、上記の放送番組データ６を選択し、放送番組データ６の本編動画像データ６−１を表す画面を表示装置２０に表示する（ステップＳ２３、Ｓ２４−ＮＯ、Ｓ２５−ＮＯ）。
【００４５】
放送番組データ６の本編動画像データ６−１を表す画面の表示が終了する場合（ステップＳ２５−ＹＥＳ）、表示制御部２４は、ＨＤＤ１７を参照して、放送番組データ６に対応する分割付加情報テキストデータ群｛分割識別子７−２−１、文字情報７−２’−１｝として分割ＣＭ静止画像データ６−２’−１を生成する。図４に示されるように、表示制御部２４は、放送番組データ６の本編動画像データ６−１と本編動画像データ６−３との間に挿入し、その分割ＣＭ静止画像データ６−２’−１を表す画面を表示装置２０に表示する（ステップＳ２６）。この場合、表示制御部２４は、ＨＤＤ１７を参照して、放送番組データ６の分割ＣＭ静止画像データ６−２’−１に対して、付加情報７に含まれる設定情報７−２”−１の設定時間を認識する。そこで、図６に示されるように、表示制御部２４は、分割ＣＭ静止画像データ６−２’−１を表す画面を、設定情報７−２”−１の設定時間（例示；１５秒）だけ表示装置２０に表示する。
【００４６】
このように、本発明の第１実施形態による録画装置１では、分割ＣＭ静止画像データ６−２’−１（文字情報７−２’−１）を表す画面を設定時間（１５秒）だけ表示装置２０に表示するため、その画面に表示される文字情報７−２’−１（商品情報、ＵＲＬ）を利用者に読ませる時間を与えることができる。そのため、メーカによる商品の宣伝を利用者に伝えつつ、ＨＤＤ１７の記憶領域を効果的に使用することができる。
【００４７】
なお、ＨＤＤ１７に格納された付加情報７に含まれる設定情報群７−ｉ”の設定時間は固定（例示；１５秒）に限定されない。利用者は、入力装置３０を操作して、ＨＤＤ１７に格納された付加情報７に含まれる設定情報群７−ｉ”の設定時間を自由に変更することができる。例えば、利用者が設定情報７−２”−１の設定時間を５秒、１０秒に設定することができる。
【００４８】
いま、表示制御部２４が分割ＣＭ静止画像データ６−２’−１を表す画面を表示装置２０に表示している（ステップＳ２６）。このときに、設定情報７−２”−１の設定時間（１５秒）が経過する前に、利用者が入力装置３０を操作してスキップ指示を行なう（ステップＳ２９−ＮＯ、Ｓ３２−ＹＥＳ）。この場合、図６に示されるように、表示制御部２４は、分割ＣＭ静止画像データ６−２’−１の次の分割ＣＭ静止画像データ６−２’−２を表す画面を表示装置２０に表示する（ステップＳ３４−ＹＥＳ、Ｓ３５、Ｓ２６）。
【００４９】
利用者が文字（文章）を読むときの時間には個人差がある。利用者が、コマーシャル（文字情報７−２’−１）を読み終えた場合、そのコマーシャルから次のコマーシャル（文字情報７−２’−２）に早く移行してもらいたいものである。そこで、本発明の第１実施形態による録画装置１では、分割ＣＭ静止画像データ６−２’−１（文字情報７−２’−１）を表す画面を表示装置２０に表示しているときに、次の分割ＣＭ静止画像データ６−２’−２（文字情報７−２’−２）を表す画面に移行したい場合、利用者の指示によりスキップすることができる。そのため、メーカによる商品の宣伝を利用者のペースによって伝えつつ、ＨＤＤ１７の記憶領域を効果的に使用することができる。
【００５０】
いま、表示制御部２４が分割ＣＭ静止画像データ６−２’−２を表す画面を表示装置２０に表示している（ステップＳ２６）。このときに、設定情報７−２”−２の設定時間（例示；１５秒）が経過する前に、利用者が入力装置３０を操作して、分割ＣＭ静止画像データ６−２’−２に含まれる文字情報７−２’−２のＵＲＬを選択ＵＲＬとして選択したものとする（ステップＳ２９−ＹＥＳ）。この場合、表示制御部２４は、分割ＣＭ静止画像データ６−２’−２を表す画面の表示を中断又は停止し、ＬＡＮ部１８、ネットワーク５を介してインターネットに接続し、選択ＵＲＬに対応するブラウザ８のホームページを表示装置２０に表示する（ステップＳ３０、Ｓ３１−ＮＯ）。利用者が入力装置３０を操作してブラウザ終了指示を行なった場合、表示制御部２４は、ブラウザ８のホームページの表示を終了し、中断又は停止している分割ＣＭ静止画像データ６−２’−２を表す画面の表示を再開する（ステップＳ３１−ＹＥＳ）。
【００５１】
このように、本発明の第１実施形態による録画装置１では、分割ＣＭ静止画像データ６−２’−２を表す画面に表示される文字情報７−２’−１（商品情報、ＵＲＬ）のうち、利用者がメーカ及びその商品に興味を持った場合、ＵＲＬを用いてインターネットに接続し、メーカのブラウザ８のホームページを表示装置２０に表示することができる。そのため、メーカ及びその商品の宣伝をより詳細に利用者に伝えつつ、ＨＤＤ１７の記憶領域を効果的に使用することができる。
【００５２】
表示制御部２４が分割ＣＭ静止画像データ６−２’−２を表す画面を表示装置２０に表示しているときに、設定情報７−２”−２の設定時間（１５秒）が経過する（ステップＳ２９−ＮＯ、Ｓ３２−ＮＯ、Ｓ３３−ＹＥＳ）。この場合、図６に示されるように、表示制御部２４は、分割ＣＭ静止画像データ６−２’−２の次の分割ＣＭ静止画像データ６−２’−３（ｎ＝３とする）を表す画面を表示装置２０に表示する（ステップＳ３４−ＹＥＳ、Ｓ３５、Ｓ２６）。
【００５３】
表示制御部２４が分割ＣＭ静止画像データ６−２’−３を表す画面を表示装置２０に表示しているときに、設定情報７−２”−３の設定時間（１５秒）が経過する（ステップＳ２９−ＮＯ、Ｓ３２−ＮＯ、Ｓ３３−ＹＥＳ）。この場合、図６に示されるように、表示制御部２４は、分割ＣＭ静止画像データ６−２’−３の次の本編動画像データ６−３を表す画面を表示装置２０に表示する（ステップＳ３４−ＮＯ、Ｓ３６−ＮＯ、Ｓ２３）。
【００５４】
このように、ｉが４、６、…である場合についても、上述と同様の動作が実行される。そこで、放送番組データ６を表す画面の表示が全て終了する場合（ステップＳ３６）、上記のステップＳ２１が実行される。
【００５５】
以上の説明により、本発明の第１実施形態による録画装置１では、第１の効果として、放送番組データ６のコマーシャルに対応する部分を利用者が視聴可能であることと、第２の効果として、ＨＤＤ１７の記憶領域を効果的に使用することを、同時に満たすことができる。
第１の効果では、上述したように、録画装置１は、放送番組データ６のＣＭ動画像データ群６−２、６−４、…を削除して、それぞれ付加情報テキストデータ群｛識別子群（７−２、７−４、…）、文字情報群（７−２’、７−４’、…）｝を放送番組データ６に対応付けてＨＤＤ１７に格納している。この場合、録画装置１は、再生指示に応じて、放送番組データ６を表す画面を表示装置２０に表示するときに、放送番組データ６の付加情報テキストデータ群｛識別子群（７−２、７−４、…）、文字情報群（７−２’、７−４’、…）｝としてＣＭ静止画像データ群６−２’、６−４’、…を生成し、放送番組データ６の本編動画像データ群６−１、６−３、…の間にそれぞれ挿入する。
第２の効果を詳細に説明する。図７に示されるように、通常、動画像データの容量は、数百ＭＢ〜数ＧＢであり、テキストデータの容量は数ＫＢ程度である。このため、ＨＤＤ１７の記憶領域を効果的に使用することができる。
【００５６】
（第２実施形態）
本発明の第２実施形態による録画装置１では、第１実施形態と重複する説明を省略する。
【００５７】
上述の第１実施形態による録画装置１では、放送番組データ６のＣＭ動画像データ群６−２、６−４、…を削除して、それぞれＣＭ静止画像データ群６−２’、６−４’、…を挿入している。しかし、単にＣＭ動画像データ群６−２、６−４、…が削除された場合、利用者によっては、ＣＭ静止画像データ群６−２’、６−４’、…を見て、どんな動画像なのかを確認したい場合がある。
【００５８】
そこで、本発明の第２実施形態による録画装置１では、放送番組データ６のＣＭ動画像データ群６−２、６−４、…のうちの、ＨＤＤ１７に格納されているＣＭ動画像データに重複しないＣＭ動画像データを格納し、放送番組データ６のＣＭ動画像データ群６−２、６−４、…に代えて、それぞれ付加情報テキストデータ群｛識別子群（７−２、７−４、…）、文字情報群（７−２’、７−４’、…）｝を放送番組データ６に対応付けてＨＤＤ１７に格納している。この場合、録画装置１は、再生指示に応じて、放送番組データ６を表す画面を表示装置２０に表示するときに、放送番組データ６の付加情報テキストデータ群｛識別子群（７−２、７−４、…）、文字情報群（７−２’、７−４’、…）｝としてＣＭ静止画像データ６−２’、６−４’、…を生成し、放送番組データ６の本編動画像データ６−１、６−３、…の間にそれぞれ挿入する。
【００５９】
本発明の第２実施形態による録画装置１の動作について説明する。
【００６０】
ここで、図１０に示されるように、ＨＤＤ１７には、過去に受信された放送番組データ６が既存放送番組データ６０として格納され、過去に受信された付加情報７が既存付加情報７０（図示しない）として、既存放送番組データ６０に対応付けてＨＤＤ１７に格納されているものとする。その既存放送番組データ６０は、放送番組データ６は、動画像データ群６０−１、６０−２、６０−３、６０−４、…を含んでいる。この動画像データ群６０−１、６０−２、６０−３、６０−４、…のうちの、奇数番目の動画像データを本編動画像データ群６０−１、６０−３、…とし、偶数番目の動画像データをＣＭ動画像データ群６０−２、６０−４、…とする。
ＣＭ動画像データ群６０−ｉ（ｉ＝２、４、…）の各々は、ｎ個の分割ＣＭ動画像データ６０−ｉ−１〜６０−ｉ−ｎ（図示しない）を含んでいる。
【００６１】
図８は、本発明の第２実施形態による録画装置１の動作として、登録処理を示すフローチャートである。
【００６２】
まず、今回受信される放送番組データ６である新規放送番組データ６について、上述のステップＳ１〜Ｓ７が実行される。
【００６３】
ｉが２である場合について説明する。付加情報制御部２２は、分割識別子７−２−１〜７−２−ｎにより、本編動画像データ６−１と本編動画像データ６−３との間の分割ＣＭ動画像データ群６−２−１〜６−２−ｎを認識する。付加情報制御部２２は、ＨＤＤ１７を参照して、分割識別子７−２−１〜７−２−ｎと同じ分割識別子が存在するか否かを調べる。分割識別子７−２−１〜７−２−ｎと同じ分割識別子が存在する。即ち、分割ＣＭ動画像データ群６−２−１〜６−２−ｎは、既存放送番組データ６０の分割ＣＭ動画像データ群６０−２−１〜６０−２−ｎに重複する。その場合、付加情報制御部２２は、その旨を放送番組制御部２１に通知し、図１０に示されるように、放送番組制御部２１は、ＨＤＤ１７から分割ＣＭ動画像データ群６−２−１〜６−２−ｎを削除する（ステップＳ８−ＮＯ、Ｓ９）。
ここで、説明を簡単にするために、ＣＭ動画像データ群６−２単位で削除しているが、例えば、分割ＣＭ動画像データ群６−２−１だけが分割ＣＭ動画像データ群６０−２−１に重複する場合、分割ＣＭ動画像データ群６−２−１のみ削除される。
【００６４】
ここで、ｉが４である場合（ステップＳ１１−ＹＥＳ）についても、上述と同様の動作が実行される（ステップＳ８−ＮＯ、Ｓ９）。
【００６５】
ｉが６である場合について説明する（ステップＳ１１−ＹＥＳ）。付加情報制御部２２は、分割識別子７−６−１〜７−６−ｎにより、本編動画像データ６−５と本編動画像データ６−７との間の分割ＣＭ動画像データ群６−６−１〜６−６−ｎを認識する。付加情報制御部２２は、ＨＤＤ１７を参照して、分割識別子７−６−１〜７−６−ｎと同じ分割識別子が存在するか否かを調べる。分割識別子７−６−１〜７−６−ｎと同じ分割識別子が存在しない。即ち、分割ＣＭ動画像データ群６−６−１〜６−６−ｎは、既存放送番組データ６０に重複しない。その場合、付加情報制御部２２は、ＨＤＤ１７を参照して、分割ＣＭ動画像データ群６−６−１〜６−６−ｎに対して、それぞれ、付加情報７に含まれる文字情報７−６’−１〜７−６’−ｎを認識する。付加情報制御部２２は、この文字情報７−６’−１〜７−６’−ｎ（商品情報、ＵＲＬ）と分割識別子７−６−１〜７−６−ｎとをそれぞれ含むテキストデータとして分割付加情報テキストデータ群を生成する。そこで、放送番組編集部２３は、放送番組データ６の分割ＣＭ動画像データ群６−６−１〜６−６−ｎに代えて、それぞれ分割付加情報テキストデータ群｛（分割識別子７−６−１〜７−６−ｎ）、（文字情報７−６’−１〜７−６’−ｎ）｝を放送番組データ６に対応付けてＨＤＤ１７に格納する（ステップＳ８−ＹＥＳ、Ｓ１０）。
【００６６】
ｉが８、１０、…である場合（ステップＳ１１−ＹＥＳ）についても、上述と同様の動作が実行される（ステップＳ８−ＹＥＳ、Ｓ１０）。ｉが偶数の最終番目である場合についてステップＳ１０が実行された場合、次の分割ＣＭ動画像データがないため（ステップＳ１１−ＮＯ）、上記のステップＳ１が実行される。
【００６７】
このように、本発明の第２実施形態による録画装置１では、放送番組データ６のＣＭ動画像データ群６−２、６−４、…のうちの、ＨＤＤ１７に格納されている既存放送番組データ６０に重複しないＣＭ動画像データ６−６、…を格納し、放送番組データ６のＣＭ動画像データ群６−２、６−４、…に代えて、それぞれ付加情報テキストデータ群｛識別子群（７−２、７−４、…）、文字情報群（７−２’、７−４’、…）｝を放送番組データ６に対応付けてＨＤＤ１７に格納している。そのため、放送番組データ６のコマーシャルに対応する部分を利用者が視聴可能でありつつ、ＨＤＤ１７の記憶領域を効果的に使用することができる。
【００６８】
図９は、本発明の第２実施形態による録画装置１の動作として、再生処理を示すフローチャートである。
【００６９】
まず、ＨＤＤ１７に格納された新規放送番組データ６について、上述のステップＳ２１〜Ｓ２５が実行される。
【００７０】
新規放送番組データ６の本編動画像データ６−１を表す画面の表示が終了する場合（ステップＳ２５−ＹＥＳ）、表示制御部２４は、ＨＤＤ１７を参照して、新規放送番組データ６に対応する分割付加情報テキストデータ群｛分割識別子７−２−１、文字情報７−２’−１｝として分割ＣＭ静止画像データ６−２’−１を生成する。図１０に示されるように、表示制御部２４は、新規放送番組データ６の本編動画像データ６−１と本編動画像データ６−３との間に挿入し、その分割ＣＭ静止画像データ６−２’−１を表す画面を表示装置２０に表示する（ステップＳ２６）。この場合、表示制御部２４は、放送番組データ６の分割ＣＭ静止画像データ６−２’−１に対して、付加情報７に含まれる設定情報７−２”−１の設定時間を参照する。そこで、表示制御部２４は、分割ＣＭ静止画像データ６−２’−１を表す画面を、設定情報７−２”−１の設定時間（例示；１５秒）だけ表示装置２０に表示する。
図１１に示されるように、分割ＣＭ静止画像データ６−２’−１を表す画面は、商品情報とＵＲＬとが記載された欄に加えて、新規付加情報７の分割識別子７−２−１に対応するスイッチとしてＣＭ再生ボタンＳＷ−２−１を含んでいる。
【００７１】
いま、表示制御部２４が分割ＣＭ静止画像データ６−２’−１を表す画面を表示装置２０に表示している（ステップＳ２６）。このときに、設定情報７−２”−１の設定時間（例示；１５秒）が経過する前に、利用者が入力装置３０を操作して、ＣＭ再生ボタンＳＷ−２−１を押下したものとする（ステップＳ２７−ＹＥＳ）。この場合、表示制御部２４は、分割ＣＭ静止画像データ６−２’−１を表す画面の表示を停止し、分割識別子７−２−１に対応する分割ＣＭ動画像データ６−２−１を表す画面を表示装置２０に表示する（ステップＳ２８）。分割ＣＭ動画像データ６−２−１を表す画面の表示が終わった場合、表示制御部２４は、分割ＣＭ静止画像データ６−２’−１の次の分割ＣＭ静止画像データ６−２’−２を表す画面を表示装置２０に表示する（ステップＳ３４−ＹＥＳ、Ｓ３５、Ｓ２６）。
【００７２】
このように、ｉが２、４、…である場合についても、上述と同様の動作が実行される。そこで、放送番組データ６を表す画面の表示が全て終了する場合（ステップＳ３６）、上記のステップＳ２１が実行される。
【００７３】
以上の説明により、本発明の第２実施形態による録画装置１では、第１の効果として、放送番組データ６のコマーシャルに対応する部分を利用者が視聴可能であることと、第２の効果として、ＨＤＤ１７の記憶領域を効果的に使用することを、同時に満たすことができる。
第１の効果では、上述したように、録画装置１は、放送番組データ６のＣＭ動画像データ群６−２、６−４、…のうちの、ＨＤＤ１７に格納されている既存放送番組データ６０に重複しないＣＭ動画像データ６−６、…を格納し、放送番組データ６のＣＭ動画像データ群６−２、６−４、…に代えて、それぞれ付加情報テキストデータ群｛識別子群（７−２、７−４、…）、文字情報群（７−２’、７−４’、…）｝を放送番組データ６に対応付けてＨＤＤ１７に格納している。この場合、録画装置１は、再生指示に応じて、放送番組データ６を表す画面を表示装置２０に表示するときに、放送番組データ６の付加情報テキストデータ群｛識別子群（７−２、７−４、…）、文字情報群（７−２’、７−４’、…）｝としてＣＭ静止画像データ６−２’、６−４’、…を生成し、放送番組データ６の本編動画像データ６−１、６−３、…の間にそれぞれ挿入する。
第２の効果を詳細に説明する。通常、動画像データの容量は、数百ＭＢ〜数ＧＢであり、テキストデータの容量は数ＫＢ程度である。また、録画装置１では、ＨＤＤ１７に格納される放送番組データ６のうちの、ＣＭ動画像データ６−２、６−４については、ＨＤＤ１７に格納されている既存放送番組データ６０に重複するため、削除する。このため、ＨＤＤ１７の記憶領域を効果的に使用することができる。
【図面の簡単な説明】
【００７４】
【図１】図１は、本発明の録画装置１が適用される放送番組録画システムの構成を示している。（第１、第２実施形態）
【図２】図２は、本発明の録画装置１の動作として、登録処理を示すフローチャートである。（第１実施形態）
【図３】図３は、本発明の録画装置１の動作として、再生処理を示すフローチャートである。（第１実施形態）
【図４】図４は、本発明の録画装置１の動作を説明するための図である。（第１実施形態）
【図５】図５は、本発明の録画装置１の動作を説明するための図である。（第１実施形態）
【図６】図６は、本発明の録画装置１の動作を説明するための図である。（第１実施形態）
【図７】図７は、本発明の録画装置１の効果を説明するための図である。（第１、第２実施形態）
【図８】図８は、本発明の録画装置１の動作として、登録処理を示すフローチャートである。（第２実施形態）
【図９】図９は、本発明の録画装置１の動作として、再生処理を示すフローチャートである。（第２実施形態）
【図１０】図１０は、本発明の録画装置１の動作を説明するための図である。（第２実施形態）
【図１１】図１１は、本発明の録画装置１の動作を説明するための図である。（第２実施形態）
【符号の説明】
【００７５】
１    録画装置
２    放送番組配信装置
３    付加情報配信装置
４    ネットワーク（放送網）
５    ネットワーク（インターネット）
６    放送番組データ
７    付加情報
８    コンピュータ（ブラウザ）
１０    制御装置
１１    ＣＰＵ
１２    メモリ
１３    放送番組受信部（ＴＶチューナ）
１４    エンコーダ
１５    デコーダ
１６    ＨＤＤコントローラ
１７    記憶装置（ＨＤＤ）
１８    付加情報受信部（ＬＡＮ部）
１９    入力インターフェース（入力Ｉ／Ｆ）
２０    表示装置
２１    放送番組制御部
２２    付加情報制御部
２３    放送番組編集部
２４    表示制御部
３０    入力装置
【図１】
2008085888.tif 000003
【図２】
2008085888.tif 000004
【図３】
2008085888.tif 000005
【図４】
2008085888.tif 000006
【図５】
2008085888.tif 000007
【図６】
2008085888.tif 000008
【図７】
2008085888.tif 000009
【図８】
2008085888.tif 000010
【図９】
2008085888.tif 000011
【図１０】
2008085888.tif 000012
【図１１】
2008085888.tif 000013